(57)【要約】【課題】光源からの光がボタンの周囲に余分に広がることを防止し、明暗の境界線を鮮明に表すワイヤードリモコンを提供する。【解決手段】光源１３はボタン２の後側に配置され、透明パネル４は筒穴２１を有し、ボタン２は筒穴２１に配置され、筒穴２１の側面部２１ａに光が透過することを防止する光透過防止材料２２を形成した。筒穴２１の側面部２１ａに形成した光透過防止材料２２が透明パネル４への光漏れを遮断することにより、光源１３からの光がボタン２の周囲に余分に広がることを防止し、明暗の境界線を鮮明に表すワイヤードリモコンが得られる。【選択図】図３
2016177920.tif 000002
【特許請求の範囲】
【請求項１】
ボタン取付部を有する筐体と、
前記ボタン取付部に取り付けられ、前記筐体内の回路のスイッチングを行うボタンと、
前記筐体の前面に設けられる透明パネルと、
前記筐体の内部に設けられる光源とを備えたワイヤードリモコンにおいて、
前記光源は前記ボタンの後側に配置され、
前記透明パネルは筒穴を有し、
前記ボタンは前記筒穴に配置され、
前記筒穴の側面部に光が透過することを防止する光透過防止材料を形成したことを特徴とするワイヤードリモコン。
【請求項２】
前記ボタンの周囲に前記光源の光を透過する透過リングを設けたことを特徴とする請求項１に記載のワイヤードリモコン。
【請求項３】
ボタン取付部を有する筐体と、
前記ボタン取付部に取り付けられ、前記筐体内の回路のスイッチングを行うボタンと、
前記筐体の前面に設けられる透明パネルと、
前記筐体の内部に設けられる光源とを備えたワイヤードリモコンにおいて、
前記光源は前記ボタンの後側に配置され、
前記透明パネルは筒穴を有し、
前記ボタンは前記筒穴に配置され、
前記ボタンの周囲に前記光源の光を透過する透過リングを設け、
前記透過リングの外側側面部に光が透過することを防止する光透過防止材料を形成したことを特徴とするワイヤードリモコン。
【請求項４】
前記透過リングと前記ボタンとを一体化したことを特徴とする請求項２または３に記載のワイヤードリモコン。
【発明の詳細な説明】
【技術分野】
【０００１】
本発明は、ワイヤードリモコンに関するものである。
【背景技術】
【０００２】
従来、この種のリモコンは、キー荷重を変化させることなく周囲への光漏れを回避するスイッチ用カバー部材及び当該スイッチ用カバー部材が使用されたされたものが知られている（例えば、特許文献１参照）。
以下、そのリモコンについて図５を参照しながら説明する。
【０００３】
筒状の本体１１０の上面は、操作者により押下される押下面１１２として形成されている。本体１１０は、ベース部１３０によって支持されている。本体１１０の内部空間１１４には、基板２１０上に設けられた光源であるＬＥＤ２１２が封止されている。本体１１０の上側部１１７及び下側部１１８は、それぞれ透光性を有する第１ラバー及び遮光性の第２ラバーによって成型されている。上側部１１７の表面は、遮光性塗料１４０によってコーティングされている。押下面１１２の遮光性塗料１４０が部分的に剥離されて、アイコン１４１が形成されている。
【先行技術文献】
【特許文献】
【０００４】
【特許文献１】特許第５５６９４０５号公報
【発明の概要】
【発明が解決しようとする課題】
【０００５】
このような従来のリモコンにおいては、透明パネルを設けて、電源のＯＮ／ＯＦＦを光源の光色を透過リングなどに映す場合、筐体の前面に透明パネルが設けられているため、この透明パネルに光色が映りこみ、明暗の境界線がくっきりと鮮明に出せない、という課題を有していた。
【０００６】
そこで本発明は、上記従来の課題を解決するものであり、光源からの光色による明暗の境界線を鮮明にすることで電源ＯＮ／ＯＦＦ表示の視認性を良化するワイヤードリモコンを提供することを目的とする。
【課題を解決するための手段】
【０００７】
そして、この目的を達成するために、本発明は、ボタン取付部を有する筐体と、前記ボタン取付部に取り付けられ、前記筐体内の回路のスイッチングを行うボタンと、前記筐体の前面に設けられる透明パネルと、前記筐体の内部に設けられる光源とを備えたワイヤードリモコンにおいて、前記光源は前記ボタンの後側に配置され、前記透明パネルは筒穴を有し、前記ボタンは前記筒穴に配置され、前記筒穴の側面部に光が透過することを防止する光透過防止材料を形成したこととしたものであり、これにより所期の目的を達成するものである。
【発明の効果】
【０００８】
本発明によれば、光透過防止材料により透明パネルへの光漏れを遮断することとなるので、光源からの光がボタンの周囲に余分に広がることを防止し、明暗の境界線を鮮明に表すことができる。
【図面の簡単な説明】
【０００９】
【図１】本発明の実施の形態１のワイヤードリモコンを示す斜視図
【図２】同ワイヤードリモコンのボタン近傍を示す断面図
【図３】同ワイヤードリモコンを示す斜視図
【図４】同ワイヤードリモコンの他の例を示す斜視図
【図５】従来のリモコンを示す斜視図
【発明を実施するための形態】
【００１０】
本発明に係るワイヤードリモコンは、ボタン取付部を有する筐体と、前記ボタン取付部に取り付けられ、前記筐体内の回路のスイッチングを行うボタンと、前記筐体の前面に設けられる透明パネルと、前記筐体の内部に設けられる光源とを備えたワイヤードリモコンにおいて、前記光源は前記ボタンの後側に配置され、前記透明パネルは筒穴を有し、前記ボタンは前記筒穴に配置され、前記筒穴の側面部に光が透過することを防止する光透過防止材料を形成した、という構成を有する。
【００１１】
これにより、筒穴の側面部に形成した光透過防止材料が透明パネルへの光漏れを遮断することとなるので、光源からの光がボタンの周囲に余分に広がることを防止し、明暗の境界線を鮮明に表す、という効果を奏する。
【００１２】
また、前記ボタンの周囲に前記光源の光を透過する透過リングを設けた、という構成にしてもよい。
【００１３】
これにより、光源からの光がほぼ透過リングのみを透過し、明暗の境界線をさらに鮮明にする、という効果を奏する。
【００１４】
また、ボタン取付部を有する筐体と、前記ボタン取付部に取り付けられ、前記筐体内の回路のスイッチングを行うボタンと、前記筐体の前面に設けられる透明パネルと、前記筐体の内部に設けられる光源とを備えたワイヤードリモコンにおいて、前記光源は前記ボタンの後側に配置され、前記透明パネルは筒穴を有し、前記ボタンは前記筒穴に配置され、前記ボタンの周囲に前記光源の光を透過する透過リングを設け、前記透過リングの外側側面部に光が透過することを防止する光透過防止材料を形成した、という構成にしてもよい。
【００１５】
これにより、透過リングの外側側面部に形成した光透過防止材料が透明パネルへの光漏れを遮断することとなるので、光源からの光がほぼ透過リングのみを透過し、明暗の境界線を鮮明にする、という効果を奏する。
【００１６】
また、前記透過リングと前記ボタンとを一体化した、という構成にしてもよい。
【００１７】
これにより、ボタンと透過リングが一体で動作することとなるので、指で押す面積が増加し、操作性が良化する、という効果を奏する。
【００１８】
以下、本発明の実施の形態について図面を参照しながら説明する。
【００１９】
（実施の形態１）
実施の形態１のワイヤードリモコンを図１から図３に示す。
【００２０】
ワイヤードリモコンの本体１は透明パネル４と筐体５からなる。透明パネル４は筐体５の前面に設けられる。本体１は表示部３を備える。
【００２１】
筐体５のボタン取付部１５にボタン２が取り付けられる。ボタン２は筐体５内の回路１２のスイッチングを行う。
【００２２】
筐体５の内部にＬＥＤなどの光源１３が設けられる。光源１３はボタン２の後側に配置される。透明パネル４は筒穴２１を有する。ボタン２は筒穴２１に配置される。
【００２３】
たとえば、このワイヤードリモコンに接続される機器を操作する場合、指でボタン２を押し機器の運転をする。
【００２４】
機器の電源がＯＮの場合は、光源１３が点灯することにより、ボタン２の周囲から光が漏れて、ボタン２の周囲が点灯する。
【００２５】
また、機器の電源がＯＦＦの場合は、光源１３が消灯することによりボタン２の周囲が消灯する。
【００２６】
これらの表示により使用者は機器が運転しているのか、停止しているのかを判断できる。
【００２７】
また、機器の運転状況は表示部３に表示される。使用者は表示部３を確認して、機器の運転状況を判断する。
【００２８】
光源１３が点灯する仕組みを説明する。指でボタン２を押すことによりボタン２の底面に隣接するボタン接合部１４が移動する。ボタン接合部１４が移動することにより、さらに回路１２に載っている回路接点１２ａを押すことで、回路１２のスイッチングを行い機器が運転する。機器の運転に伴い、更に回路１２に載っている光源１３が点灯する。
【００２９】
図３に示すように、本実施例の特徴は、透明パネル４の筒穴側面部２１ａに光が透過することを防止する光透過防止材料２２を形成したことである。光透過防止材料２２は、例えば、光を透過しにくい塗料や薄いシールなどである。
【００３０】
光透過防止材料２２により、光源１３からの光が透明パネル４に漏れることを防止できるのである。
【００３１】
このように、本実施例のワイヤードリモコンによれば、光透過防止材料２２により透明パネル４に光が漏れること防止しつつ、ボタン２の周囲を明るくできる。
【００３２】
このため、光源１３からの光がボタン２の周囲に余分に広がることを防止し、明暗の境界線を鮮明に表すことができるのである。特に、機器電源ＯＮ／ＯＦＦ表示の明暗の境界線をくっきりと鮮明に表すことで、電源ＯＮ／ＯＦＦ表示の視認性を良化するワイヤードリモコンを提供できる。
【００３３】
なお、ボタン２の周囲に光源１３の光を透過する透過リング１１を設けることが好ましい。これにより、光源１３が透過リング１１を透過する際に光源１３の光色を透過リング１１に映しだす。このため、明暗の境界線をさらに鮮明に表すことができる。
【００３４】
また、ボタン２はボタン２外周の透過リング１１と一体化することが好ましい。これによりボタン２の押す面積を大きくでき、操作性を向上させることができる。
【００３５】
また、図４に示すように、筒穴側面部２１ａに光透過防止材料２２を形成せずに、透過リング外側側面部１１ａに光が透過することを防止する光透過防止材料２３を形成してもよい。この場合も同様の効果を奏することができるが、光透過防止材料２３を透過リング１１に直接形成したことにより、明暗の境界線をさらに鮮明にすることができる。
【００３６】
また、筒穴側面部２１ａと透過リング外側側面部１１ａの両方に光透過防止材料を形成してもよい。これによれば、明暗の境界線をさらに鮮明にすることができる。
【産業上の利用可能性】
【００３７】
本発明にかかるワイヤードリモコンは、熱交換気ユニット等の機器を操作するリモコン等として有用である。
【符号の説明】
【００３８】
１  本体
２  ボタン
３  表示部
４  透明パネル
５  筐体
１１  透過リング
１１ａ  透過リング外側側面部
１２  回路
１２ａ  回路接点
１３  光源
１４  ボタン接合部
１５  ボタン取付部
２１  筒穴
２１ａ  筒穴側面部
２２  光透過防止材料
２３  光透過防止材料
１１０  本体
１１２  押下面
１１４  内部空間
１１７  上側部
１１８  下側部
１３０  ベース部
１４０  遮光性塗料
２１０  基板
２１２  ＬＥＤ
【図１】
2016177920.tif 000003
【図２】
2016177920.tif 000004
【図３】
2016177920.tif 000005
【図４】
2016177920.tif 000006
【図５】
2016177920.tif 000007